(57)【特許請求の範囲】
【請求項１】
２本の導線が合成樹脂で被覆された電源コードに対し、所望位置で着脱自在な端子を備えた導通コネクターであり、当該コネクターは、電源コードを受容する電源コード受容部とＬＥＤ又は電球等の電気光変換手段を支持して導通する導通蓋部とより成り、前記電源コード受容部と導通蓋部とが電源コードを挟んで着脱自在に構成されていると共に、一端が尖鋭状に突出した尖鋭導通部に形成され、他端が前記電気光変換手段の導線を電気的に接続可能な導線接続部として形成された端子が、前記導通蓋部に複数取り付けられ、前記端子の各尖鋭導通部が電源コード表面の被覆樹脂を突き刺し、当該電源コード内の各導線に接触し、電気光変換手段の各導線が前記複数の端子の導線接続部に接続されて接触することにより、電気光変換手段が導通可能に構成されている電源コードに着脱自在な導通コネクターにおいて、
ａ）  前記電源コード受容部は、底面部と左右の側面部とより横断面が電源コードの最大幅寸と略等しい内寸の凹状に形成され、電源コードを下方から受容可能であり、且つ上端に嵌合穴が形成されていること、導通蓋部は、前記電源コードの最大幅寸と略等しい幅寸で所定厚さの直方体形状に形成され、且つ左右の側面部に前記電源コード受容部の嵌合穴に嵌合自在な凸部が形成され、端子の導線接続部が水平方向に突出されていると共に、下面部に尖鋭導通部が下向きに突出されていること、
ｂ）  前記端子は、細長い金属製の板体が折曲してＬ字状に形成されて成り、その一端の尖鋭導通部は先端が尖ったＶ字状に形成されて、垂直下向き且つ電源コードと平行に配置され、他端の導線接続部は導通蓋部の側面部から水平に突出する配置で導通蓋部に取り付けられていること、
ｃ）  一のＬ字状端子の導線接続部が、導通蓋部の一側面部に取り付けられ、他のＬ字状端子の導線接続部が、導通蓋部の他側面部に取り付けられていると共に、導通蓋部の各側面部にガイド孔が形成され、当該ガイド孔が反対側面部の導線接続部に連接され、各Ｌ字状端子の尖鋭導通部が電源コードの各導線に突き刺さる配置に取り付けられており、電気光変換手段の導線が導通蓋部の左右いずれかの側面部の導線接続部とガイド孔に接続されて導通可能に構成されていること、
を特徴とする、電源コードに着脱自在な導通コネクター。
【請求項２】
スペーサーの外側面の外周縁がやや膨出した係止部に形成されていると共に、複数のＬ字状端子の導線接続部が所定間隔をあけて挿入可能な挿入孔が穿設された当該スペーサーが、導通蓋部の側面部に設置されており、このスペーサーの係止部に、防水カバー又はレンズ等の基端部が係止可能に構成されていることを特徴とする、請求項１に記載した電源コードに着脱自在な導通コネクター。
【請求項３】
電気光変換手段の代りに、小型モーター等の電動手段の導線が導線蓋部の端子の導線接続部又はガイド孔に電気的に接続されて導通可能に構成されていることを特徴とする、請求項１又は２に記載した電源コードに着脱自在な導通コネクター。
【発明の詳細な説明】
【０００１】
【発明の属する技術分野】
本発明は、電源コードに対し着脱自在な導通コネクターの技術分野に係り、更に言えば、電源コードを利用して、ＬＥＤ（発光ダイオード、以下省略）等の電気光変換手段により所望の文字や図柄を形成等して発光させたり、小型モーターを作動させるために、電源コードに対しＬＥＤや小型モーター等を接続する際に使用する導通コネクターに関する。
【０００２】
【従来の技術】
ＬＥＤは、電流を流すことで簡単に発光でき、発光波長や出力が安定して得られ、低消費電力で経済的な上、耐久性・信頼性にも優れ、あらゆる用途に広く利用されてきている。
【０００３】
その利用形態としては、ＬＥＤの導線をプリント配線基板の回路に挿し込み、ハンダ付けをすることによって行うのが一般的である（例えば、実開平４−６５４８５公報、特開平７−２４９８５１公報など参照）。
【０００４】
また、図１４と図１５に例示したＬＥＤの利用形態も公知に属する。すなわち、２本の導線ａ、ａの間に所定の等間隔で並列接続される多数個のＬＥＤ素子ｂ…をハンダ付け等によって接続し、その２本の導線ａ、ａを２枚の絶縁性のシートｃ、ｄの間に挟んで形成する帯状発光部材ｅである（実開平５−１６４００号公報参照）。なお、図１４中の符号ｆは、スイッチと電源とタイマーとを備えた点滅ユニットであり、前記２本の導線ａ、ａに接続されている。そして、例えば花束にリボンとして使用され、点滅ユニットｆのスイッチを押すことにより、多数のＬＥＤ素子５…が一斉に所定時間点滅する仕組みである。
【０００５】
【発明が解決しようとする課題】
プリント配線基板の回路へＬＥＤを予め多数取り付けて発光させ、ＬＥＤランプやＬＥＤディスプレイ、ドットマトリクスディスプレイとして、文字や図形を表示する従来一般の方法では、多数のＬＥＤを１個１個ハンダ付けして取り付ける作業が大変面倒で手間がかかる。また、ハンダ付けした後の変更使用は不可である。さらに、基板自体を曲げるなど変形させる使用形態はあり得ない。
【０００６】
この点、図１４及び図１５に例示した帯状発光部材ｅは、折り曲げることが可能であり、所望の形に変形できる自由度がある。しかし、そのように変形させるために、予め変形できる薄い銅ハク等の素材より成る２本の導線ａ、ａや、絶縁性のシートｃ、ｄを別途用意しなければならずコスト高を余儀なくされ、準備が面倒である。更に、やはり多数のＬＥＤ素子ｂ…を、前記２本の導線ａ、ａの間に、所定の等間隔で並列接続しなければならない。その際１個１個ハンダ付けする作業がやはり煩わしい。また、そのように手間をかけて製作した帯状発光部材ｅは汎用性に欠けるといった問題もある。
【０００７】
したがって、本発明の主たる目的は、既存の電源コードを利用し、その電源コード上の所望の位置に、導通コネクターを介してＬＥＤを必要最小限の個数で簡便かつ合理的に接続できて作業性、経済性に優れる上、完成したものは自由に曲げたりして変形でき、文字や図柄を簡単に作れると共に、当該導通コネクター及びＬＥＤの着脱が自在ゆえに変更使用も簡便に行えて便利な導通コネクターを提供することにある。また、ＬＥＤの着脱と同じ要領で小型モーター等の電動手段の導通も可能な導通コネクターをも提供する。
【０００８】
【課題を解決するための手段】
前記課題を解決するための手段として、請求項１記載の発明は、２本の導線１０、１０が合成樹脂１１で被覆された電源コード１に対し、所望位置で着脱自在な端子２５を備えた導通コネクターであり、当該導通コネクターは、電源コード１を受容する電源コード受容部３とＬＥＤ又は電球等の電気光変換手段５を支持して導通する導通蓋部２とより成り、前記電源コード受容部３と導通蓋部２とが電源コード１を挟んで着脱自在に構成すると共に、一端を尖鋭状に突出した尖鋭導通部２６に形成し、他端を前記電気光変換手段の導線５０を電気的に接続可能な導線接続部２７として形成した端子２５を、前記導通蓋部２に複数取り付け、前記端子２５の各尖鋭導通部２６、２６により電源コード１の表面１１の被覆樹脂を突き刺し、当該電源コード１内の各導線１０…に接触させ、電気光変換手段５の各導線５０、５０を前記複数の端子２５…の導線接続部２７…に接続して接触させることにより、電気光変換手段５が導通可能に構成した電源コードに着脱自在な導通コネクターにおいて、
ａ）  電源コード受容部３は、底面部３０と左右の側面部３１、３１とより横断面が電源コード１の最大幅寸Ｗと略等しい内寸の凹状に形成し、電源コード１を下方から受容可能であり、且つ上端３２に嵌合穴３３を形成した。前記導通蓋部２は、前記電源コード１の最大幅寸Ｗと略等しい幅寸で所定厚さの直方体形状に形成し、且つ左右の側面部２０、２０に前記電源コード受容部３の嵌合穴３３に嵌合自在な凸部２４を形成した。また、前記端子２５の導線接続部２７を水平方向に突出させると共に、下面部２２に尖鋭導通部２６を下向きに突出したこと、
ｂ）  前記端子２５は、細長い金属製の板体を折曲してＬ字状に形成した。その一端の尖鋭導通部２６は先端が尖ったＶ字状に形成して、垂直下向き且つ電源コード１と平行に配置した。他端の導線接続部２７は円筒状等に形成して、導通蓋部２の側面部２０、２０から水平に突出する配置で導通蓋部２に取り付けたこと、
ｃ）  一のＬ字状端子２５の導線接続部２７を、導通蓋部２の一側面部２０に取り付け、他のＬ字状端子２５の導線接続部２７は、導通蓋部２の他側面部２０に取り付けた。と共に、導通蓋部２の各側面部２０、２０にガイド孔２３を形成し、当該ガイド孔２３を反対側面部２０の導線接続部２７に連接させ、各Ｌ字状端子２５の尖鋭導通部２６が電源コード１の各導線１０…に突き刺さる配置に取り付けた。よって、ＬＥＤ等の電気光変換手段５の導線５０、５０を、導通蓋部２の左右いずれかの側面部２０の導線接続部２７とガイド孔２３に接続することで導通可能に構成したこと、を特徴とする。
【００１６】
請求項２記載の発明の電源コードに着脱自在な導通コネクターは、前記発明において、スペーサー２８の外側面の外周縁がやや膨出した係止部２８ａに形成すると共に、複数のＬ字状端子２５…の導線接続部２７…が所定間隔をあけて挿入可能な挿入孔２９…を穿設した円盤状等の当該スペーサー２８を、導通蓋部２の側面部２０に設置し、このスペーサー２８の係止部２８ａに防水パカバー６やレンズ７等の各基端部６ａ、７ａを係止可能に構成したことを特徴とする。
【００１８】
請求項３記載の発明の電源コードに着脱自在な導通コネクターは、前記発明において、ＬＥＤ等の電気光変換手段５の代りに、小型モーター等の電動手段の導線を導線蓋部２の端子２５の導線接続部２７又はガイド孔２３と電気的に接続して導通可能に構成したことを特徴とする。
【００１９】
【発明の実施の形態】
本発明の電源コードに着脱自在な導通コネクターは、電気光変換手段の一例としてＬＥＤを既存の電源コードの所望位置に取り付け、当該電源コードを曲げたりして変形させ、所望の文字や図柄を形成して発光させるべく、電源コードに対しＬＥＤを電気的に接続する際に好適なものである（請求項１参照）。なお、当該電源コード１に電流を流すとＬＥＤは発光するが、その電源は手段を問わない（図示は省略）。また、ここで電気光変換手段とは、ＬＥＤのほか電球等を含む広い意味であり、詳述を省略する豆電球についても、以下に説明のＬＥＤと同様に実施可能である。
【００２０】
以下、本発明の導通コネクターの実施形態を、ＬＥＤを使用する場合について説明する。
【００２１】
この導通コネクターは、図２に示したように、基本的には、２本の導線１０、１０がそれぞれ合成樹脂１１、１１で被覆されて成る一般的な電源コード１を受容する電源コード受容部３と、当該電源コード１に対し着脱自在な端子２５を備えると共にＬＥＤ５を支持して導通する導通蓋部２とより成り、この導通蓋部２と電源コード受容部３の２つの部材により電源コード１を挟んで着脱自在に構成されている。
【００２２】
但し、前記導通蓋部２と電源コード受容部３とが端部で一体化されたコネクターも実施可能である（図示は省略）。
【００２３】
電源コード受容部３は、合成樹脂等により、電源コード１を下方から受容可能なように、底面部３０と左右の側面部３１、３１とより横断面が電源コード１の最大幅寸Ｗと略等しい内寸の凹状の篭形に形成されている（図２、図８Ａ）。両側面部３１、３１は、その各上端３２に、後述する導通蓋部２の凸部２４が嵌り合って着脱自在な嵌合穴３３が形成されている。
【００２４】
また、各側面部３１の前記嵌合穴３３を除く上方中央部は、導通蓋部２を嵌合した状態で、ＬＥＤ５の導線（リード線）５０が取り付けられるように、Ｕ字状等の凹部３６に形成されている（図１〜図３、図８Ｂ）。さらに、底面部３０の上面には、後述する端子２５の尖鋭導通部２６の先端に対応する位置に、若干凹んだ空隙部３４が形成されている（図２〜図５、図８、図９）。尖鋭導通部２６の先端に、底面部３０の当該空隙部３４内でいわゆる遊びを生ぜしめ、電源コード１の貫通を防ぐためである。
【００２５】
導通蓋部２は、合成樹脂等により、前記電源コード１の最大幅寸Ｗと略等しい幅寸で所定厚さの直方体形状に形成され（図５、図６参照）、且つ左右の側面部２０、２０に、前記電源コード受容部３の嵌合穴３３に嵌合自在な凸部２４が形成されている（図２、図５参照）。また、この導通蓋部２の四隅は、前述の電源コード受容部３を外側から拘束して嵌合する突起状の拘束部２１に各々形成されている（図１、図５）。
【００２６】
この導通蓋部２に、端子２５が取り付けられている。端子２５は、導通可能な燐青銅等により、図７に示した如く、一端が尖鋭状に突出した尖鋭導通部２６に形成され、他端がＬＥＤ５の導線５０の１本を挿し込んで電気的に接続可能な導線接続部２７として形成されている。
【００２７】
具体的には、この端子２５の全体は、細長い金属製の板体が折曲してＬ字状に形成されている（図７Ｂ）。その一端の尖鋭導通部２６は、先端が鋭利に尖ったＶ字状に形成され（図７Ａ）、且つ図３に示したように、少なくとも電源コード１内の導線１０に接触するに十分な長さと大きさに形成され、垂直下向き且つ電源コード１と平行に配置される（図２〜図５）。
【００２８】
他端の導線接続部２７は、ＬＥＤ５の導線５０の挿し込んで行う電気的な接続をガイドする所定長さの円筒状に形成されている（図７Ｂ、Ｃ、図２）。但し、この導線接続部２７の端部形状は、このような円筒状に限定される訳ではなく、接続して使用する電気光変換手段（ＬＥＤや電球）や電動手段（小型モーター）等の導線の仕様により、平面状や圧着・コネクタ式等いかようにも対応可能である。
【００２９】
よって、端子２５は、円筒状の導線接続部２７が導通蓋部２の側面部２０、２０から水平に突出する配置で（図６Ａ、Ｃ）、尖鋭導通部２６が下面部２２に、下向きに突出して導通蓋部２に取り付けられている（図６Ｃ、Ｂ、図４）。
【００３０】
また、本実施形態では、前記構成の端子２５が、導通蓋部２の左右の側面部２０、２０にそれぞれ取り付けられている。すなわち、図６Ａに示したように、一の端子２５の導線接続部２７が、導通蓋部２の一側面部２０に取り付けられ、他のＬ字状端子２５の導線接続部２７が、導通蓋部２の他側面部２０に取り付けられている。この場合、図５に示したように、導通蓋部２の各側面部２０、２０には、ＬＥＤ５の導線５０の残る１本を挿し込んで接続可能なガイド孔２３が形成されている。このガイド孔２３は、導線接続部２７と平行配置に導通蓋部２の内部に形成されており、当該ガイド孔２３が反対側面部２０の導線接続部２７に連接されている。そして、各端子２５、２５の尖鋭導通部２６、２６が電源コード１の各導線１０、１０にそれぞれ突き刺さるように配置されている。
【００３１】
したがって、以下の手順で、本導通コネクターを使用して合理的にＬＥＤ５を発光させることができる。
【００３２】
図２に示したような一般的な２本の導線１０、１０より成る電源コード１にＬＥＤ５を取り付けようとする所望の位置において、本コネクターの電源コード受容部３を、電源コード１の下方から嵌め込む。この段階では、まだ電源コード受容部３を動かすことができるので、電源コード１におけるＬＥＤ５の正確な取り付け位置に、電源コード受容部３を移動する調整が可能である。
【００３３】
電源コード受容部３の位置が確定したら、その上方位置における電源コード１の上面に合成ゴム製等の防水パッキン４を載置して介在する形態が好ましい。そして、この防水パッキン４を覆うように、電源コード１を挟む形で導通蓋部２を上方から手で押圧する。
【００３４】
そうすると、図３に示したように、導通蓋部２の端子２５の尖鋭導通部２６が、まず前記防水パッキン４の上面を突き破り、つづいて当該尖鋭導通部２６が電源コード１の合成樹脂の表面１１を突き刺し、内部に存する複数本の導線１０…に接触する。同時に、導通蓋部２の各凸部２４が電源コード受容部３の嵌合穴３３に嵌合して、導通蓋部２と電源コード受容部３とが固定される（図１）。この状態で、端子２５の尖鋭導通部２６は、電源コード１の導線１０…に確実に接触されている（図３、図４）。その際、尖鋭導通部２６の先端は、電源コード受容部３の空隙部３４内へ臨むように配置され、電源コード１の合成樹脂表面１１の下底部を突き刺す不意な貫通が防止される。
【００３５】
上記と同じ要領で、必要最小限のＬＥＤ５…を、本コネクターを介して電源コード１に取り付ける。
【００３６】
そして、各コネクターに対し、ＬＥＤ５の各導線５０、５０を、導通蓋部２の左右いずれかの側面部２０の導線接続部２７とガイド孔２３に挿し込んで電気的に接続する（図１、図２）。全てのＬＥＤ５…の取り付け作業が完了したら、電源コード１を折り曲げる等して所望の文字や図柄になるように変形する。そして、電流を流すと、端子２５に導通されたＬＥＤ５…が一斉に発光し、所望の文字や図柄が当該ＬＥＤ５…によって輝き表示される。
【００３７】
端子２５の尖鋭導通部２６と電源コード１との間には、前記の通り防水パッキン４が介在されているので、漏電のおそれがない。また、導線５０、５０が挿し込まれなかった他端の導線接続部２７は、かしめる等して端部処理することが好ましい（図４、図６Ｃ参照）。
【００３８】
なお、導通蓋部２を上方に引っ張ることで、導通蓋部２の凸部２４が電源コード受容部３の嵌合穴３３から容易に離脱するので、当該導通蓋部２及びＬＥＤ５を電源コード受容部３から取り外して、ＬＥＤ５の取り付け位置を変える変更使用も簡単に行うことができる。
【００３９】
【異なる実施形態】
図９〜図１３は、２つの端子２５、２５の各導線接続部２７、２７が、導通蓋部２の一方（片側）の側面部２０にのみ取り付けて実施する異なる形態を示している。すなわち、上述した実施形態は、２つの端子２５、２５（各導線接続部２７、２７）は、導通蓋部２の左右両側の側面部２０、２０に対しそれぞれ取り付けて実施する形態である点で両実施形態は異なるが、それ以外の構成は基本的に同じである。
【００４０】
本実施形態は、２つのＬ字状端子２５、２５の各導線接続部２７、２７が、導通蓋部２の片側の一側面部２０（図１２Ａにおける下方の側面部２０）に、平行配置で取り付けられている。そして、各端子２５、２５の尖鋭導通部２６、２６が、図１０に点線で示した如く、電源コード１を構成する各導線１０、１０にそれぞれ突き刺さるように導通蓋部２の内部に配置されている。
【００４１】
また、本実施形態の導通コネクターにおいては、スペーサー２８を使用する形態が好ましい。スペーサー２８は、外側面の外周縁がやや膨出して若干大きい係止部２８ａに形成されていると共に、２つのＬ字状端子２５、２５の導線接続部２７、２７が容易には接触しない間隔をあけて挿入される挿入孔２９、２９が、軸方向に穿設された円盤状に形成されている（図１１Ｂ、図９）。但し、形状は円盤状に限定されない。
【００４２】
すなわち、図１０、図１１に例示したように、導通蓋部２の一側面部２０のみに突き出た導線接続部２７、２７を利用して、まずＬＥＤ５を取り付け端子２５、２５と電気的に接続する。そして、ＬＥＤ５に防水カバー６や凹レンズ７（又は凸レンズ）を被せようとする場合、スペーサー２８の係止部２８ａに、防水カバー６の基端部６ａやレンズ７の基端部７ａを係止させることにより、簡単に取り付けることができるのである。
【００４３】
なお、上述した電気光変換手段（ＬＥＤ）ではなく、電動手段を本導通コネクターに取り付けて使用することもできる（図示は省略）。ここで、電動手段とは、原動機、特には電動機の範疇に少なくとも属するものをいう。
【００４４】
例えば小型モーターの導線２本を、上述したＬＥＤ５の導線５０、５０のように、それぞれ導通蓋体２の導線接続部２７やガイド穴２３を利用して電気的に接続する（図５参照）。または、小型モーターの２本の導線を、平行配置の導線接続部２７、２７にそれぞれ接続する（図１２Ａ参照）。いずれにしても、そのように導線を接続するだけで導通可能となり、電源から電流を供給することによって、小型モーターの駆動軸を回転させることができる。
【００４５】
【発明の効果】
請求項１記載の発明の電源コードに着脱自在な導通コネクターによれば、端子が尖鋭導通部とＬＥＤ等の電気光変換手段の導線接続部として形成され、前記尖鋭導通部により電源コードの表面を突き刺し内部の導線に接触させ、導線接続部に電気光変換手段の導線を接続することにより、電気光変換手段が導通可能に構成されているので、従来のようにＬＥＤの導線を１つずつハンダ付けする面倒な作業は一切不要で、既存の電源コードを利用でき、その電源コード上の所望の位置に、当該コネクターを介してＬＥＤ等の電気光変換手段を必要最小限の個数で簡便かつ合理的に設置できる作業性、経済性に優れる。しかも、この電気光変換手段を利用した完成品は、曲げたりねじったりして自由自在に変形でき、文字や図柄を簡単に作れる融通性がある。さらに、当該導通コネクター、なかんずく電気光変換手段の着脱が自在ゆえに、変更使用を簡便に行える利便性にも優れている。
【００４６】
また、この導通コネクターによれば、前記電気光変換手段として、ＬＥＤや電球など各種の発光体、発光器具・装置を利用でき便利である。
【００４７】
特に、本導通コネクターによれば、電源コードを挟んだ形で、電源コード受容部と導通蓋部とが、嵌合穴と凸部との嵌合によって確実に位置決め固定された状態で下向きに突出した尖鋭導通部により、電源コードにおける所望位置でＬＥＤ（導線）の固定及び導通が確実に達成される。
【００４８】
また、端子の尖ったＶ字状の尖鋭導通部が垂直下向き且つ電源コードと平行に配置され、円筒状等の導線接続部が導通蓋部側面部から水平に突出されているから、この導線接続部を利用してＬＥＤの導線を簡便に接続できる上、Ｖ字状に尖った尖鋭導通部が電源コードの表面を簡単に突き刺し内部の導線に接触し、ＬＥＤの導通状態を簡単且つ確実に得られ至極便利である。
【００５１】
さらに、ＬＥＤの導線を導通蓋部の左右いずれか一方の側面部の導線接続部とガイド孔に挿し込んで導通できるので、ＬＥＤの取り付け位置の自由度があり使い勝手がよい。
【００５３】
請求項２記載の発明の電源コードに着脱自在な導通コネクターによれば、円盤状等のスペーサーを利用して、防水カバーやレンズの着脱を簡単に行える利便性にも優れている。
【００５４】
請求項３記載の発明の電源コードに着脱自在な導通コネクターによれば、ＬＥＤ等の電気光変換手段の代りに、小型モーター等の電動手段の導線を導線蓋部の端子の導線接続部やガイド孔を利用して接続・導通させ、機械的な動力が得られ便利である。
【図面の簡単な説明】
【図１】  導通コネクターを利用してＬＥＤを電源コードに取り付けた状態を示した一部省略の斜視図である。
【図２】  導通コネクターを利用してＬＥＤを電源コードに取り付ける要領を示した一部省略の斜視図である。
【図３】  尖鋭導通部が電源コードを突き刺した状態を一部破断して示した側面図である。
【図４】  尖鋭導通部が電源コードを突き刺した状態を一部省略して示した横断面図である。
【図５】  導通コネクターを電源コードへ取り付けた状態を示した一部省略の平面図である。
【図６】  Ａ、Ｂ、Ｃは、導通蓋部を示した平面図、側面図、背面図である。
【図７】  Ａ、Ｂ、Ｃは、端子を示した正面図、側面図、平面図である。
【図８】  Ａ、Ｂ、Ｃは、電源コード受容部を示した正面図、側面図、平面図である。
【図９】  異なる導通コネクターを電源コードに取り付けた状態を示した一部省略の側面図である。
【図１０】  異なる導通コネクターにＬＥＤ及び防水カバーを取り付けた状態を一部切欠して示した平面図である。
【図１１】  異なる導通コネクターにＬＥＤ及びレンズを取り付けた状態を一部切欠して示した平面図である。
【図１２】  Ａ、Ｂ、Ｃは、異なる導通コネクターの導通蓋部を示した平面図、側面図、横断面図である。
【図１３】  異なる導通コネクターの組み立て状態を示した説明図である。
【図１４】  従来例を示した斜視図である。
【図１５】  図１４の分解図である。
【符号の説明】
１      電源コード
１０    導線
１１    表面
２      導通蓋部
２０    側面部
２１    拘束部
２２    下面部
２３    ガイド孔
２４    凸部
２５    端子
２６    尖鋭導通部
２７    導線接続部
２８    スペーサー
２８ａ  係止部
２９    挿入孔
３      電源コード受容部
３０    底面部
３１    側面部
３２    上端
３３    嵌合穴
３４    空隙部
３６    凹部
４      防水パッキン
５      電気光変換手段（ＬＥＤ）
５０    導線
６      防水カバー
６ａ    基端部
７      レンズ
７ａ    基端部
【図１】
0003706972.tif 000002
【図２】
0003706972.tif 000003
【図３】
0003706972.tif 000004
【図４】
0003706972.tif 000005
【図５】
0003706972.tif 000006
【図６】
0003706972.tif 000007
【図７】
0003706972.tif 000008
【図８】
0003706972.tif 000009
【図９】
0003706972.tif 000010
【図１０】
0003706972.tif 000011
【図１１】
0003706972.tif 000012
【図１２】
0003706972.tif 000013
【図１３】
0003706972.tif 000014
【図１４】
0003706972.tif 000015
【図１５】
0003706972.tif 000016